(57)【要約】【課題】一つの音声を風圧又は風向で変化させて演出音の種類を増やし、制御装置の音源容量を削減するとともに、音声変化に付随して他の種類の演出を同時に行うことができる遊技機を提供する。【解決手段】スピーカユニット８０の振動板８１と対向する位置に送風機７０を配置し、送風機７０の送風作動によって、スピーカユニット８０の出力する音声を変化させて、遊技機の正面に設けられた音声出力開口６２Ａから放出可能とした。【選択図】図４
2008212382.tif 000002
【特許請求の範囲】
【請求項１】
遊技中に演出音を発するためのスピーカユニットを備えた遊技機において、
前記スピーカユニットの振動板と対向する位置に送風機を配置し、
前記送風機の送風作動によって、前記スピーカユニットの出力する音声を変化させて、遊技機の正面に設けられた音声出力開口から放出可能としたことを特徴とする遊技機。
【請求項２】
前記スピーカユニットの振動板を奥側に向けて配置し、
前記スピーカユニットの奥側に送風機を配置したことを特徴とする請求項１記載の遊技機。
【請求項３】
前記音声出力開口を開閉自在な開閉部材を設け、
前記送風機の送風作動と前記開閉部材の開作動とが連動するように制御されることを特徴とする請求項１又は２記載の遊技機。
【請求項４】
前記送風機は、ファンの回転方向を正逆回転可能に形成されていることを特徴とする請求項１乃至３のいずれか１項に記載の遊技機。
【請求項５】
前記送風機は、ファンの回転速度を変更可能に形成されていることを特徴とする請求項１乃至４のいずれか１項に記載の遊技機。
【請求項６】
前記送風機は、ファンの回転軸とは異なる軸支部を中心に少なくともファンが回動可能に形成されていることを特徴とする請求項１乃至５のいずれか１項に記載の遊技機。
【請求項７】
前記スピーカユニットを複数設け、
各スピーカユニットに対応させて前記送風機を設け、
前記送風機の送風作動を別個に制御可能としたことを特徴とする請求項１乃至６のいずれか１項に記載の遊技機。
【発明の詳細な説明】
【技術分野】
【０００１】
この発明は、音声による演出を行うことができる遊技機に関するものである。
【背景技術】
【０００２】
遊技機、例えばスロットマシンにおいては、様々な手段を用いて当選の報知その他の演出が行われている。例えば音声による演出を行う場合は、制御装置に複数の音声データを記憶させておき、遊技状態に応じて、音量や音質などの異なる音声が出力されるように形成してある（特許文献１参照）。
【特許文献１】特開２００２−３５５３５９号公報
【発明の開示】
【発明が解決しようとする課題】
【０００３】
しかし、種類の異なる音声を出力するには、多くの音声データを記憶させておく必要があり、また同一の音声について周波数を変化させる装置を設ける必要もある。
そこで、本願発明は、一つの音声を物理的に（具体的には風圧又は風向で）変化させて演出音の種類を増やし、制御装置の音源容量を削減するとともに、音声変化に付随して他の種類の演出（送風演出）を同時に行うことができる遊技機を提供することを目的とする。
【課題を解決するための手段】
【０００４】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技中に演出音を発するためのスピーカユニット(80)を備えた遊技機において、前記スピーカユニット(80)の振動板（スピーカコーン81）と対向する位置に送風機(70)を配置し、前記送風機(70)の送風作動によって、前記スピーカユニット(80)の出力する音声を変化させて、遊技機の正面に設けられた音声出力開口（正面開口62A）から放出可能としたことを特徴とする。
【０００５】
本発明に係る遊技機は、遊技場に設置されるスロットマシン(S)などの遊技機とすることができる。
前記スピーカユニット(80)は、永久磁石にボイスコイルを巻き付けて振動板(81)を取り付けた音声出力装置である。
前記送風機(70)は、駆動モータ(71)でファン(72)を回転させ、所定方向に風を送ることができる装置であって、ファンの形状はプロペラ型であっても円筒型であってもよい。  本発明においては、送風機(70)の設置方向は問わない。例えば、ファン(72)の回転軸とスピーカユニット(80)の中心軸（振動板(81)の中心軸）が平行となる向き（すなわちファン(72)の正面が振動板(81)と対面する向き）に配置してもよいし、ファン(72)の回転軸とスピーカユニット(80)の中心軸が直交する向き（すなわちファン(72)の側面が振動板(81)と対面する向き）に配置してもよい。
【０００６】
さらに、本発明においては、前記スピーカユニット(80)と前記送風機(70)の位置関係も問わない。すなわち、スピーカユニット(80)の振動板(81)が正面側を向いている場合には、送風機(70)はスピーカユニット(80)の手前側に配置され、スピーカユニット(80)の振動板(81)が背面側（奥側）を向いている場合には、送風機(70)はスピーカユニット(80)の奥側に配置される。送風機(70)は、スピーカユニット(80)の振動板(81)に向かって風を送ることができ、あるいは振動板(81)の振動によって発生する音声を吸引することができる位置に配置されていればよい。
前記音声出力開口(62A)は、スピーカユニット(80)の出力する音声を遊技機外部に向けて放出させるための開口部であって、スピーカグリル(67)などによって覆われていてもよい。また、「遊技機の正面」には、遊技機本体（筐体１）の正面だけでなく、遊技機本体の正面に取り付けられている付属物、例えば前扉(3)や装飾体ユニット(6)などの正面も含まれる。
【０００７】
（作用）
まず、本発明において、スピーカユニット(80)の振動板(81)を正面側に向けて設置するとともに、遊技機を正面視したとき、音声出力開口(62A)の奥側に送風機(70)を配置し、送風機(70)のさらに奥側にスピーカユニット(80)を配置した場合について述べる。
上記したような配置によると、送風機(70)を送風作動させた状態でスピーカユニット(80)から音声を出力させた場合、送風機(70)のファン(72)によってスピーカユニット(80)の前方の空気に流れができるので、送風方向によって、遊技機の正面側で聞いたときの音量が変化する。例えば、ファン(72)を振動板(81)に対面させて、スピーカユニット(80)に向かって送風するようにした場合には、出力された音声が奥側（遊技機内側）に押し戻されて、音量が小さくなる。逆に、音声出力開口(62A)に向かって送風するようにした場合には、出力された音声が遊技機の外側に放出されるので、音量が大きくなる。
【０００８】
さらに、送風機(70)の送風作動によって、音声出力開口(62A)から風が吹き出したり、音声出力開口(62A)が空気を吸い込んだりするのですので、音声だけでなく、送風演出を同時に提供することができる。
次に、スピーカユニット(80)の振動板(81)を奥側に向けて設置するとともに、音声出力開口(62A)の奥側にスピーカユニット(80)を配置し、スピーカユニット(80)のさらに奥側に送風機(70)を配置した場合について述べる。なお、この場合には、振動板(81)を正面側に向けたときよりは、遊技機の正面で聞くことができる音声の音量が小さくなるが、振動板(81)と対面する反射板を設けるなどすれば問題ない。
【０００９】
そして、送風機(70)のファンを振動板(81)に対面させて、スピーカユニット(80)に向かって送風するようにした場合には、スピーカユニット(80)から出力される音声が、回転するファン(72)に跳ね返されて、音声出力開口(62A)から放出される。このため、扇風機の前で声を出すと声が振動して聞こえる原理により、遊技機の正面側では音声の音質が変化して聞こえる。
なお、スピーカユニット(80)と送風機(70)を、遊技機に備えられた中空箱形のスピーカボックス(62)に収納し、スピーカボックス(62)の正面に設けられた音声出力開口(62A)から音が出るように形成してもよい。また、スピーカユニット(80)がスピーカボックスに取り付けられており、そのスピーカボックスの手前側又は奥側に送風機(70)を配置して、遊技機の正面に設けられた音声出力開口から音が出るように形成してもよい。
【００１０】
（請求項２）
（特徴点）
請求項２記載の発明は、上記した請求項１記載の発明の特徴点に加え、次の点を特徴とする。
すなわち、請求項２記載の発明は、前記スピーカユニット(80)の振動板(81)を奥側に向けて配置し、前記スピーカユニット(80)の奥側に送風機(70)を配置したことを特徴とする。
本発明は、スピーカユニット(80)の設置方向と送風機(70)との位置関係を限定したものである。本発明においては、請求項１の作用の説明で述べたとおり、音声出力開口(62A)から放出される音声の音質を変化させることができる。
【００１１】
（請求項３）
（特徴点）
請求項３記載の発明は、上記した請求項１又は２記載の発明の特徴点に加え、次の点を特徴とする。
すなわち、請求項３記載の発明は、前記音声出力開口(62A)を開閉自在な開閉部材（ルーバー66）を設け、前記送風機(70)の送風作動と前記開閉部材(66)の開作動とが連動するように制御されることを特徴とする。
前記「開閉部材」は、例えばスライド式シャッターや複数の可動板を有するルーバー(66)とすることができ、音声出力開口(62A)を開閉できるものであればどのような構成であっても構わない。音声出力開口(62A)の開閉状態を調整可能に形成されていると、より好適である。例えばシャッターやルーバーを、全閉状態、全開状態とすることができる他に、半開状態で停止可能に形成したものとすることができる。
【００１２】
なお、「開閉部材(66)の開作動」とは、開閉部材(66)が音声出力開口(62A)を開放する位置となるよう位置移動（スライド又は回動）させることである。閉作動とは、逆に、開閉部材(66)が音声出力開口(62A)を閉塞する位置となるよう位置移動させることである。
本発明においては、少なくとも送風機(70)を送風作動する場合には開閉部材(66)を開くようにする。このとき、スピーカユニット(80)から音声は出力させてもさせなくてもよい。スピーカユニット(80)から音声を出力させれば、音声演出と送風演出を同時に行うことができ、スピーカユニット(80)から音声を出力させなければ、送風演出を行うことができる。
【００１３】
また、開閉部材(66)を、送風機(70)が作動停止しているときに開閉作動させてもよい。このときスピーカユニット(80)から音声が出力されていれば、開閉部材(66)の開閉状況によって、遊技機の正面で聞こえる音声の音量が変わってくる。すなわち、開閉部材(66)が閉じていれば音が小さくなり、開閉部材(66)が開いていれば音が大きくなる。
（請求項４）
（特徴点）
請求項４記載の発明は、上記した請求項１乃至３のいずれか１項に記載の発明の特徴点に加え、次の点を特徴とする。
【００１４】
すなわち、請求項４記載の発明は、前記送風機(70)は、ファン(72)の回転方向を正逆回転可能に形成されていることを特徴とする。
本発明は、送風機(70)の駆動モータ(71)を逆転駆動可能に形成したものである。
本発明によれば、送風機(70)を逆転作動させることにより送風方向が変化するので、送風機(70)の作動方向を変えることにより、遊技機の正面で聞こえる音声の音量を変化させることができる。
（請求項５）
（特徴点）
請求項５記載の発明は、上記した請求項１乃至４のいずれか１項に記載の発明の特徴点に加え、次の点を特徴とする。
【００１５】
すなわち、請求項５記載の発明は、前記送風機(70)は、ファン(72)の回転速度を変更可能に形成されていることを特徴とする。
本発明は、送風機(70)の駆動モータ(71)の回転数を変更可能に形成したものである。
本発明においては、駆動モータ(71)の回転数を上げるとファン(72)の回転速度が速くなり、逆に回転数を下げるとファン(72)の回転速度が遅くなる。ファン(72)の回転速度によって、音声を遊技機内側に押し戻し又は遊技機外側に放出する強さが変わるので、遊技機の正面で聞こえる音声の音量が変わってくる。
（請求項６）
（特徴点）
請求項６記載の発明は、上記した請求項１乃至５のいずれか１項に記載の発明の特徴点に加え、次の点を特徴とする。
【００１６】
すなわち、請求項６記載の発明は、前記送風機(70)は、ファン(72)の回転軸とは異なる軸支部(回転軸74)を中心に少なくともファン(72)が回動可能に形成されていることを特徴とする。
本発明は、扇風機の首振り作動と同様に、ファン(72)の正面方向が変化するように形成したものである。扇風機と同様に、ファン(72)と駆動モータ(71)が一体で回動するようにしてもよい。
本発明によれば、ファン(72)の向きによって送風方向が変化するため、風に乗って運ばれる音声の方向も変化し、遊技機の正面で聞こえる音声の音量を交互に大きくしたり小さくしたりすることができる。
【００１７】
（請求項７）
（特徴点）
請求項７記載の発明は、上記した請求項１乃至６のいずれか１項に記載の発明の特徴点に加え、次の点を特徴とする。
すなわち、請求項７記載の発明は、前記スピーカユニット(80)を複数設け、各スピーカユニット(80)に対応させて前記送風機(70)を設け、前記送風機(70)の送風作動を別個に制御可能としたことを特徴とする。
本発明は、例えば遊技機の左右にスピーカユニット(80)が設けられている場合、左のスピーカユニット(80)に対応して設けられた送風機(70)と、右のスピーカユニット(80)に対応して設けられた送風機(70)を、別々に作動可能としたものである。
【００１８】
本発明によれば、複数のスピーカユニット(80)の音声をそれぞれ変化させることができ、演出パターンを豊富にすることができる。
【発明の効果】
【００１９】
本発明は、以上のように構成されているので、一つの音声を風圧又は風向で変化させて演出音の種類を増やし、制御装置の音源容量を削減するとともに、音声変化に付随して他の種類の演出（具体的には送風演出や開閉演出）を同時に行うことができる。
【発明を実施するための最良の形態】
【００２０】
本発明を実施するための最良の形態を、遊技機としてスロットマシンを例に、図面に基づき説明する。
（図面の説明）
図１乃至図９は、本発明の実施の形態を示すものである。
図１及び図２はスロットマシンの斜視図、図３及び図４は装飾体ユニット６を表す図、図５はスピーカボックスの断面図である。なお、図６乃至図９は、本実施の形態の変形例を示す図である。
本実施の形態におけるスロットマシンＳは、図２に示すように、大きく分けて、正面側に開口部11を有する筐体１、筐体１内部に着脱自在に設けられる交換ユニット２、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
【００２１】
（筐体１）
筐体１は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には電源ユニット４が固定され、ホッパーユニット５が設置されている。
ここで、電源ユニット４は、特に図示しないが電源装置が内装されていると共に、ホール管理者が種々の設定を行うためのスイッチ等を有している。ホッパーユニット５はメダルを貯留するとともに入賞時等にはメダルを払い出す払い出し装置である。電源ユニット４及びホッパーユニット５は、いわゆる「面替え」に際し、必ずしも交換する必要のないものであり、遊技機交換時には設置されたままにしておけるようになっているものである。
【００２２】
また、正面左側の側板16には、前記上扉30及び下扉40を係合させ、回転自在に支持するためのヒンジ19が、上下方向に間隔をおいて二つずつ設けられている。
（交換ユニット２）
交換ユニット２は、種々の部品を設置あるいは固定するための支持体21と、この支持体21に固定されたリールユニット20及び基板ユニット24とから形成されている。
支持体21は、方形状の金属枠からなり、リールユニット20及び基板ユニット24を筐体内部に着脱自在に固定するとともに、リールユニット20及び基板ユニット24を一体的に取り扱い可能とするものである。なお、支持体21は、他の構成部品（例えば液晶表示装置や演出リールなどの演出用の表示装置）を固定設置可能であってもかまわない。
【００２３】
ここで、リールユニット20は、スロットマシンＳの主たる遊技装置であって、周囲に複数の図柄を表示した３個の回転リール23と、特に図示しないが、各回転リール23を回転させるための駆動モータを有している。また、前記基板ユニット24は、基板ケース内に種々の電子部品を搭載した制御基板を収納したものであり、遊技及びスロットマシンＳの作動を制御するためのメイン基板24Aと、各種演出を行うためのサブ基板24Bを備えている。
そして、交換ユニット２は、筐体１の側板16の内側に設けられたクリップなどの固定装置（図示せず）により、筐体１に固定される。
なお、交換ユニット２を交換することにより、遊技を行うための遊技装置（リールユニット20）と、遊技を制御するための制御装置（遊技を司るメイン基板24A及び遊技に付随する演出を司るサブ基板24B）が同時に交換され、スロットマシンＳの遊技内容が変更されることとなる。
【００２４】
（上扉30）
上扉30は、筐体１のヒンジ19に回転自在に軸支された板状の扉であり、図１に示すように、略中央部に前記回転リール23を正面側から見ることができる図柄表示窓31Aを有し、図柄表示窓31Aの上方には、演出表示を行うための装飾体ユニット６が設けられている。すなわち、上扉30は、上扉30の骨格となる上扉枠32に、前記図柄表示窓31Aを有する上パネル31が固定されているとともに、上扉枠32の正面側に設けられた取り付け手段（図示せず）を介して、装飾体ユニット６を着脱自在に取り付け可能な構成となっている。
そして、上扉30を閉じると、ヒンジ19の反対側に設けられたラッチ錠により自動的にロックされ、筐体１の開口上部13が密閉される。また、下扉40を解放した状態で、特に図示しないが上扉枠32の下側に設けられた解除つまみを下方に引き下げることにより、上扉30のロックが解除されるようになっている。
【００２５】
（下扉40）
下扉40は、筐体１のヒンジ19に回転自在に軸支された上扉30よりも幅厚の扉であり、図１に示すように、下扉40の上部は、スロットマシンＳを作動させるためのカウンター状の操作部41となっている。また、下扉40の下部には、ホッパーユニット５から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、前扉３を解錠するためのものである。
【００２６】
なおスロットマシンＳは、メイン基板24Aにより行われる当選判定の抽選結果が所定の当選役に当選し、前記ストップスイッチ45の操作により当選図柄が入賞の態様となるように回転リール23を停止させることができると入賞となり、ホッパーユニット５からメダルが払い出されたり、ボーナスゲームなどの有利な遊技が開始されるようになっている。
さらに、図２に示すように、下扉40の裏面側には、前記メダル投入口42から投入されたメダルの真贋を判断し、適正メダルをホッパーユニット５に誘導するとともに不適正メダルをキャンセルするためのメダルセレクター48と、メダルセレクター48からキャンセルされたメダル及びホッパーユニット５から払い出されるメダルを下皿46に誘導するためのメダル通路49が設けられている。
【００２７】
そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
（装飾体ユニット６）
装飾体ユニット６は、図１に示すように、上扉30の正面上部に着脱自在に固定される演出用ユニットであって、中空箱形の本体ベース60に種々の演出用デバイスを取り付けた構造になっている。具体的には、図３に示すように、本体ベース60の正面上側中央部及び正面上側角隅部には電飾体61が設けられ、正面下側の左右にはスピーカボックス62が収納されている。また、本体ベース60の内部には、回転灯ユニット64が設けられ、この回転灯ユニット64の背面側には、発光面を有するバックライトユニット65が設けられている。
【００２８】
そして、本体ベース60の正面は、透明なプラスチックにより成型した正面視略Ｙ字型の正面カバー63により覆われており、図３に示すように、この正面カバー63を通して、正面側から前記回転灯ユニット64のレンズ部分及びバックライトユニット65の発光面を見ることができるようになっている。
ここで、前記電飾体61は、ＬＥＤなどの発光体をランプカバーで覆ったものである。前記スピーカボックス62は、正面側に可動式のルーバー66を備えた中空の箱体であって、内部には送風機70及びスピーカユニット80が内装されている。そして、スピーカユニット80から出力される音声を、ルーバー66の開閉及び送風機70の作動によって変化させることができるようになっているものであるが、これについては後述する。
【００２９】
また、前記回転灯ユニット64は、特に図示しないが、椀型のレンズ部の内部に、電球などの発光体と、この発光体の周囲を旋回する反射鏡を有しており、反射鏡を旋回させることにより発光体の光が投射される方向を回転変位させることができるようになっているものである。前記バックライトユニット65は、導光板を用いてＬＥＤなどの発光体の光線を正面側に拡散させて面発光させるようにしたものや、透光性を有するアクリル板などのパネル部材の背面側に蛍光ランプを配置して照明することにより面発光させるようにしたものである。あるいは、液晶表示装置を用いて、画像を表示するようにしてもよい。
そして、装飾体ユニット６は、遊技状態に応じて、前記電飾体61やバックライトユニット65を点灯させ、回転灯ユニット64を作動させ、あるいはスピーカユニット80から音声を出力させることにより、入賞の報知等の演出表示を行うことができるようになっている。また、スロットマシンＳの機種交換の際には、上扉枠32を筐体１に据え置いたまま、装飾体ユニット６を取り外して、新たな装飾体ユニット６を上扉枠32に取り付けるだけで、スロットマシンＳの正面デザインや演出用デバイスを変更することができる。
【００３０】
すなわち、装飾体ユニット６の構成は、上記したものに限られず、演出表示を行うためのその他の装置、例えば可動役物や模型などを備えていてもよい。
（スピーカボックス62）
次に、スピーカボックス62と、内装された送風機70の構成の詳細について、図４及び図５に基づいて説明する。なお、図４は図３のIV−IV線断面図である。
スピーカボックス62は、図４に示すように、正面側には正面開口62Aが形成され、背面板には通気用の背面開口62Bが形成された中空箱形のユニットである。そして、正面開口62Aにはルーバー66を備え、内部空間の正面側にはスピーカユニット80がスピーカコーン81を背面方向に向けて固定されており、スピーカユニット80の奥側には送風機70が配置されている。
【００３１】
前記ルーバー66は、上方側端部がスピーカボックス62の正面開口62Aの側板に軸支され、上下方向に並列して配置された複数の横長方形状の可動板からなり、各可動板は、図示しない駆動装置によって軸支部を中心に上下方向に回動自在に形成されている。例えば軸支部がギアによって回転し、軸支部と一体で可動板が回動するようになっている。そして、可動板が閉じているときには、図４に示すようにスピーカボックス62の正面開口62Aが塞がれ、可動体が開いたときには、図５に示すように、スピーカボックス62の正面開口62Aが開放するようになっている。
前記スピーカユニット80は、永久磁石にボイスコイルを巻き付けたものに振動板としてスピーカコーン81を取り付けた音声出力装置である。なお、振動板はコーン型でなくてもよい。
【００３２】
前記送風機70は、駆動モータ71によってプロペラ型のファン72を回転させることにより、正面側すなわちスピーカユニット80のスピーカコーン81に向かって風を送ることができる装置であって、スピーカボックス62の背面板又は底板に固定されている。そして、スピーカユニット80から出力される音声が、ファン72の回転する羽に当たって跳ね返されることにより変化し、正面側に流れるようになっているものである。
また、送風機70は、駆動モータ71の回転数を変えることにより、例えば強、中、弱の三段階に送風の強さを変化させることができるとともに、駆動モータ71を逆転駆動させることにより、送風方向を変える（背面側に送風する）ことができるようになっている。
【００３３】
さらに、図５に示すように、前記スピーカユニット80のスピーカコーン81の中心C1と、送風機70のファン72の回転中心C2は、上下に若干ずれた位置となるよう配置されている。これは、ファン72の羽部分Ｄをスピーカコーン81の位置と合致させ、音声が羽部分に効率よくあたるようにする（音の変化を顕著にさせる）ためである。
なお、特に図示しないが、スピーカボックス62の背面板の内側に、音を反射する反射板を設けると、スピーカユニット80から出力された音声が反射して正面開口62Aから放出されるようになるので、好適である。
ところで、送風機70の送風作動とルーバー66の開閉とは、基本的に連動するように形成されており、送風機70が作動（正転、逆転含む）する場合には、ルーバー66が開くように制御される。一方、送風機70が作動停止中には、ルーバー66が単独で開閉することができるようになっている。これらの制御は、サブ基板24Bに搭載された演出プログラムに基づき、ルーバー66の可動板を回動させるための駆動装置及び送風機70の駆動モータ71の制御部が行うものである。
【００３４】
（音声出力とルーバー66及び送風機70の作動）
次に、スピーカユニット80からの音声出力と、ルーバー66及び送風機70の作動について、いくつかのパターンを例示して説明する。
(1)まず、図４に示すように、ルーバー66を閉じ、送風機70の作動を停止させた状態でスピーカユニット80から音声を出力した場合には、音声はスピーカボックス62の中に籠もった状態となり、スロットマシンＳの正面側からは非常に聞き取りにくいものとなる。
(2)また、図５に示すように、ルーバー66を開き、送風機70の作動を停止させたままスピーカユニット80から音声が出力された場合には、スピーカボックス62の正面開口62Aから音声が外部に漏れ出すので、前記(1)よりは大きな音量となる。
【００３５】
(3)そして、ルーバー66が開き、送風機70を正転作動（正面側に風が送られるよう駆動モータ71を駆動）させた状態で、スピーカユニット80から音声が出力された場合には、前述したように出力された音声が回転するファン72に跳ね返されることによって変化して、正面側から聞こえるようになる。
(4)一方、ルーバー66が開いた状態で、送風機70を逆転作動（背面側に風が送られるよう駆動モータ71を駆動）させた場合には、スピーカユニット80から出力される音声が吸い込まれて背面開口62Bの方に流れるので、正面側から聞き取れる音量は前記(2)又は(3)よりも弱くなる。
【００３６】
(5)送風機70の駆動モータ71の回転数を変化させることができる。すなわち、駆動モータ71の回転数を上げるとファン72は高速回転して、強い風を送ることができ、逆に駆動モータ71の回転数を下げるとファン72の回転速度が落ちて、弱い風を送ることができる。この送風の強弱によっても、スピーカユニット80から出力される音声の音量や音質が変わってくる。
(6)ルーバー66の開閉状態を調整することができる。すなわち、可動板の回動角度によって、ルーバー66が閉じた状態（図４参照）及びルーバー66が全開した状態（図５参照）だけでなく、特に図示しないがルーバー66が半分開いた状態（図４と図５の間の角度）にすることができる。
【００３７】
さらに、上記(1)乃至(6)の作動パターンは、左右二つあるスピーカボックス62について、それぞれ別々に制御することができる。例えば、右側のスピーカボックス62はルーバー66を閉じたまま（あるいは半開）にし、左側のスピーカボックス62はルーバー66を開く（全開）、あるいは、左右のスピーカボックス62のルーバー66を開いた状態で、右側の送風機70は正転作動させ、左側の送風機70は逆転作動させる、といったこともできる。これらの組み合わせは、例えば内部当選を報知する際の当選の種類や、演出の信頼度に対応させて、適宜設定することができる。
このように、スピーカボックス62の正面にルーバー66を設け、内部には送風機70を設けたことにより、スピーカユニット80から出力される音声の音量や音質が同じであっても、スピーカボックス62から外に発声される音声の音量や音質が変化することとなる。また、上記したような音声と組み合わせた演出だけでなく、ルーバー66を開いて遊技者に向けて風を送るという演出も行うことができる。
【００３８】
（スピーカボックス62の変形例）
さて、以上のようにスピーカユニット80から出力される音声を送風機70によって変化させる方法としては、上記したものだけに限られない。以下、本実施の形態の変形例について説明する。
（変形例１）
上記実施の形態において、送風機70のファン72を、例えば平面視９０度、回動させるようにすることができる。すなわち、スピーカボックス62の横断面を表した図６に示すように、送風機70の駆動モータ71及びファン72を、回転軸74を中心に、正面視左右方向に回動可能に形成する。これは、扇風機の首振り作動に用いられている技術を応用することによって実現可能である。
【００３９】
このように形成すると、ファン72が左側を向いているときにはスピーカユニット80から出力される音声は左側に流れ、ファン72が右側を向いているときにはスピーカユニット80から出力される音声は右側に流れるので、ファン72が左右に回動することにより、スロットマシンＳの正面で聞いたときに音が大きくなったり小さくなったりする。
（変形例２）
上記実施の形態及び変形例１では、スピーカユニット80の奥に送風機70を配した構成となっていたが、本発明はこのような構成には限られない。すなわち、図７に示すように、スピーカユニット80をスピーカコーン81を正面側にむけてスピーカボックス62の外側に配置し、スピーカボックス62の内部に送風機70を設置することができる。
【００４０】
なお、この場合、スピーカユニット80は上扉30の上扉枠32に設けることができる。そして、装飾体ユニット６を上扉枠32に取り付けたときに、スピーカボックス62の背面板に設けた背面開口62Bとスピーカコーン81の位置が合致するようにしておく。このように形成すると、スピーカユニット80を筐体１に据え置くことができる（交換部品を少なくできる）という利点がある。
送風機70の設置は、図７（Ａ）に示すように、ファン72の正面が背面側すなわちスピーカユニット80の方向を向く（ファン72の回転軸がスピーカユニット80の中心と前後方向に平行となる）ように設置することもできるし、図７（Ｂ）に示すように、ファン72の正面が上側を向く（ファン72の回転軸がスピーカユニット80の中心と上下に直交する）ように設置することもできる。あるいは、図７（Ｃ）に示すように、ファン72の正面が側方を向く（ファン72の回転軸がスピーカユニット80の中心と左右に直交する）ように設置してもよい。
【００４１】
送風機70を図７（Ａ）のように配置すると、ファン72がスピーカユニット80に向かって風を送る方向に回転している場合にはスピーカユニット80から出力される音量が小さくなり、逆に回転した場合には大きくなる。図７（Ｂ）（Ｃ）のように配置すると、ファン72の回転方向にかかわらず、スピーカボックス62の内部の気流が乱れてスピーカユニット80から出力される音量が小さくなり、あるいは音質が変化する。
（変形例３）
図８は、前記図７（Ａ）に示した例において、駆動モータ71及びファン72が回転軸74を中心に、平面視１８０度（又は３６０度）、回動するように形成したものである。この場合には、ファン72の正面が、背面側を向いているとき、側面側を向いているとき、正面側を向いているときで、それぞれスピーカユニット80から出力される音量が変わってくるので、ファン72が前後に回動することにより、スロットマシンＳの正面で聞いたときに音が大きくなったり小さくなったりする。
【００４２】
なお、図示した例では、スピーカボックス62の正面開口62Aに、複数の音通孔を有する板状又は網状のスピーカグリル67を取り付けたものとしてあるが、可動ルーバーを用いても構わない。
（変形例４）
上記変形例１乃至９は、送風機70にプロペラ型のファン72を用いていたが、図９に示すように、円筒型のファン73を用いてもよい。ファン73は、筒体の内面に筒内方向に突出する板状の羽を螺旋状に配してあり、筒体が回転することにより筒体の端部から風を送り出すようにしたものである。また、筒体の回転方向によって、風が送り出される方向が変わるようになっている。
【００４３】
なお、図示した例ではスピーカユニット80をスピーカボックス62に取り付けてあるが、前述したように上扉枠32に設けるようにしてもよい。また、スピーカグリル67の代わりに可動ルーバーを用いてもよい。
以上のように、本実施の形態によれば、ルーバー66及び送風機70を作動させることによって、同一音源を微妙に異なる音声として出力することができるので、音声データの領域削減を図ることができる。また、音声による演出に加えて、送風による演出やルーバー66の開閉演出を行うこともできる。
なお、本発明の構成は、以上述べたものに限定されず、実施の形態及び変形例１乃至４に記載された構成を適宜組み合わせることができる。
【００４４】
また、上記実施の形態においては、スピーカボックス62の正面開口62Aを開閉する開閉部材としてルーバー66を設けてあったが、開閉部材としてはルーバー66に限られず、例えばソレノイドで作動するスライド式のシャッターを設けてもよい。また、上記実施の形態では、スピーカユニット80を２個設けてあったが、スピーカユニット80は１個であってもよく、あるいは３個以上設けてもよい。
さらに、音声出力開口を前扉３や筐体１に形成し、スピーカユニット80をその奥側に設置するようにしてもよい。すなわち、遊技機の正面に設けられた音声出力開口の奥側に、スピーカユニット80を配置し、その手前側もしくは奥側に、送風機70を配置するように形成してもよい。
【００４５】
例えば、図１０に示すように形成することができる。ここで図１０は、スロットマシンＳ’の部分断面である。この例では、前扉３に音声出力開口としての開口部100を設け、この開口部100を開閉自在なシャッター200を設けてある。なおシャッター200は、図示した状態では開口部100を閉塞しており、二点鎖線で示すように水平状態になると、開口部100を開放するようになっている。そして、スピーカユニット80をスピーカボックスに取り付けたスピーカ装置90を筐体１に固定し、その正面（スピーカユニット80の固定面）に対向させて、送風機70を配置したものである。
以上のように形成しても、スピーカユニット80から出力される音声を、送風機70の送風作動によって変化させ、開口部100から放出することができるとともに、シャッター200の開閉作動と組み合わせた演出を行うことが可能である。
【００４６】
なお、図１０の例では、スピーカ装置90を筐体１に、送風機70を前扉３に固定してあるが、スピーカ装置90をスピーカユニット80が背面側となるよう前扉３に固定し、筐体１に送風機70を設けてもよい。あるいは、スピーカ装置90及び送風機70を前扉３に設けてもよいし、スピーカ装置90及び送風機70を筐体１に設けてもよい。要は、スピーカユニット80から出力される音声が送風機70の送風作動によって何らかの影響を受け、かつ音声出力開口から遊技機の正面側に放出されるような構成となっていればよい。そして、この場合においても、送風機70のファン72の回転数を変化させ、あるいはファン72が首を振るように形成し、音の変化パターンを増やすことができる。
【００４７】
本発明を使用する遊技機としてはスロットマシンに限られず、例えばパチンコ遊技機に使用してもよい。そのほかにも、スピーカユニットを備えた遊技機であれば、どのような遊技機に応用してもよい。
【図面の簡単な説明】
【００４８】
【図１】本発明の実施の形態であって、スロットマシンの外観斜視図である。
【図２】本発明の実施の形態であって、前扉を開いたスロットマシンの斜視図である。
【図３】本発明の実施の形態であって、装飾体ユニットの正面図である。
【図４】本発明の実施の形態であって、図３のIV−IV線断面図である。
【図５】本発明の実施の形態であって、スピーカボックスの断面図である。
【図６】本発明の実施の形態であって、スピーカボックスの変形例を示す断面図である。
【図７】本発明の実施の形態であって、スピーカボックスの変形例を示す断面図である。
【図８】本発明の実施の形態であって、スピーカボックスの変形例を示す断面図である。
【図９】本発明の実施の形態であって、スピーカボックスの変形例を示す断面図である。
【図１０】本発明の他の実施の形態であって、スロットマシンの部分断面図である。
【符号の説明】
【００４９】
Ｓ  スロットマシン（遊技機）
１  筐体                            ２  交換ユニット
３  前扉                            ４  電源ユニット
５  ホッパーユニット                ６  装飾体ユニット
11  開口部                          12  中板
13  開口上部                        14  開口下部
15  底板                            16  側板
17  天板                            18  裏板
19  ヒンジ                          20  リールユニット
21  支持体                          23  回転リール
24  基板ユニット                   24A  メイン基板
24B  サブ基板
30  上扉                            31  上パネル
32  上扉枠                          39  上扉ヒンジ
40  下扉                            41  操作部
42  メダル投入口                    43  ベットスイッチ
44  スタートスイッチ                45  ストップスイッチ
46  メダル皿                        47  下パネル
48  メダルセレクター                49  下扉ヒンジ
60  本体ベース                      61  電飾体
62  スピーカボックス               62A  正面開口（音声出力開口）
62B  背面開口                        63  正面カバー
64  回転灯ユニット                  65  バックライトユニット
66  ルーバー（開閉部材）            67  スピーカグリル
70  送風機                          71  駆動モータ
72  ファン                          73  ファン
74  回転軸
80  スピーカユニット                81  スピーカコーン（振動板）
90  スピーカ装置                   100  開口部（音声出力開口）
200  シャッター（開閉部材）
【図１】
2008212382.tif 000003
【図２】
2008212382.tif 000004
【図３】
2008212382.tif 000005
【図４】
2008212382.tif 000006
【図５】
2008212382.tif 000007
【図６】
2008212382.tif 000008
【図７】
2008212382.tif 000009
【図８】
2008212382.tif 000010
【図９】
2008212382.tif 000011
【図１０】
2008212382.tif 000012